(57)【要約】  付随する無線電話に取り付けられる一体型脱着可能イヤホンシステム。本一体型脱着可能イヤホンシステムは、１つのイヤホン、又は１対のイヤホン、又はマイクロホンを備える１つ若しくは複数のイヤホンとしてもよい。或る特定の実施形態において、付属の一体型脱着可能聴覚装置が、伸長式及び格納式の電気コードを介して自身の付随する無線電話に物理的に接続しているとともに、付随する無線電話のケースに一体化される。このイヤホンは、使用しないときでも強制的に無線電話とともに保持され、置き忘れ、紛失、又は無線装置からの不慮の分離さえも防止する。このイヤホンは、無線電話の充電ポートに接続し、無線電話を充電しているときに充電することができる。耳に装着可能なスピーカーは、自身の取付け定位置にあるとき、嵌合穴に押し込むことができる。ラッチ又は磁石は、一体型脱着可能イヤホンを無線電話に取り付けるのを助けることができる。【選択図】図１Ａ、図１Ｂ、及び図１Ｃ
2015515787.tif 000002
【特許請求の範囲】
【請求項１】
無線電話のオーディオシステムであって、
オーディオドライバーと、
内部スピーカーと、
付随する無線電話のケースに物理的に取り付けられる一体型脱着可能イヤホンと、
前記一体型脱着可能イヤホンが、前記付随する無線電話の前記ケースから物理的に取り外されているとき、前記オーディオドライバーから前記一体型脱着可能イヤホンに音声出力を転換する、近接センサーと、
を備える、無線電話のオーディオシステム。
【請求項２】
前記一体型脱着可能イヤホンは、前記一体型脱着可能イヤホンが前記付随する無線電話の前記ケースに取り付けられているとき及び前記付随する無線電話の前記ケースから取り外されているときの双方で前記無線電話に電気的に接続したままである、請求項１に記載の無線電話のオーディオシステム。
【請求項３】
前記近接センサーは更に、前記一体型脱着可能イヤホンが、前記付随する無線電話の前記ケースに取り付けられているとき、前記オーディオドライバーから前記内部スピーカーに音声出力を転換する、請求項１に記載の無線電話のオーディオシステム。
【請求項４】
前記一体型脱着可能イヤホンは、土類磁石によって前記無線電話の前記ケースに取り付けられる、請求項１に記載の無線電話のオーディオシステム。
【請求項５】
前記土類磁石は前記無線電話の前記ケース内に取り付けられる、請求項１に記載の無線電話のオーディオシステム。
【請求項６】
前記一体型脱着可能イヤホンは、物理的なラッチによって前記無線電話の前記ケースに装着される、請求項１に記載の無線電話のオーディオシステム。
【請求項７】
前記物理的なラッチはソフトウェア制御下の前記無線電話によって解除可能である、請求項６に記載の無線電話のオーディオシステム。
【請求項８】
前記一体型脱着可能イヤホンが前記無線電話の前記ケースから作動的に取り外されているとき、前記一体型脱着可能イヤホンのスピーカーが、前記付随する無線電話のケースにある嵌合穴に挿入される、請求項１に記載の無線電話のオーディオシステム。
【請求項９】
前記無線電話のオーディオシステムは、
内部マイクロホンを更に備え、
前記近接センサーは、前記一体型脱着可能イヤホンが前記付随する無線電話の前記ケースに物理的に取り付けられているとき、前記内部マイクロホンへの音声入力を前記無線電話の音声入力に転換する、請求項１に記載の無線電話のオーディオシステム。
【請求項１０】
前記一体型脱着可能イヤホンは、
イヤスピーカーと、
マイクロホンと、
を更に備え、
前記近接センサーは、前記一体型脱着可能イヤホンが前記付随する無線電話の前記ケースから物理的に取り外されているとき、前記マイクロホンへの音声入力を前記無線電話の音声入力に転換する、請求項１に記載の無線電話のオーディオシステム。
【請求項１１】
前記マイクロホンはジョウボーンマイクロホンである、請求項１０に記載の無線電話のオーディオシステム。
【請求項１２】
前記無線電話のオーディオシステムは、
前記脱着可能内部イヤホンと前記無線電話との間の格納式電気コードを更に備え、
前記電気コードは、前記一体型脱着可能イヤホンが前記無線電話の前記ケースに物理的に取り付けられるとき、前記無線電話の前記ケース内に格納される、請求項１に記載の無線電話のオーディオシステム。
【請求項１３】
前記無線電話のオーディオシステムは、
前記付随する無線電話のケースに物理的に取り付けられる追加の一体型脱着可能イヤホンを更に備え、
前記一体型脱着可能イヤホン及び前記追加の一体型脱着可能イヤホンはステレオ音声を出力する、請求項１に記載の無線電話のオーディオシステム。
【発明の詳細な説明】
【技術分野】
【０００１】
本発明は、包括的には、電気通信に関する。本発明は、より詳細には、無線電話向けのオーディオアクセサリに関する。
【背景技術】
【０００２】
現在、無線電話は、非常に高音質を提供する能力を有し、しばしば音楽プレーヤーとして用いられている。従来の無線電話は、ユーザーの耳に当てられる１つの内部スピーカー（及び、ときには、基本的なステレオ出力用の追加の２つの内部スピーカー）と、ユーザーの声を拾うマイクロホンとを備える。多くの無線電話は、イヤホン（及び、ときには、マイクロホンを備えるイヤホン）が別個にパッケージ化されて販売されている。こうしたイヤホンを無線電話のフォノジャックに挿し込み、内部スピーカーをバイパスして、自身の無線電話によって個人的な音声出力を享受する。おそらく、イヤホンは、使用しないとき、衣服のポケット、ハンドバッグ（purse）等に入れて携帯されると想定される。場合によっては、無線電話をイヤホン一式とともに保管するようにポーチが提供される。
【０００３】
いくつかの従来のイヤホンはマイクロホンを備え、有線イヤホンを介して、無線電話を電話として用いることを可能にする。ＢＬＵＥＴＯＯＴＨ（商標）等のピコネット接続を介して無線電話と通信する、無線イヤピースとマイクロホンとの装置も既知である。いくつかの無線聴覚装置は、内蔵充電ポートを有することもある、無線聴覚装置を保管するケースとともに出回っている（例えば、Ｐｌａｎｔｒｏｎｉｃｓ  Ｄｉｓｃｏｖｅｒｙ９７５）。無線電話は低レベルの電磁波（radiation）を放出していると疑う者がいる。専門家の中には、これらのレベルの電磁波が有害である場合があると考える者がいる一方、ほとんどではないとしても多くの専門家がそう考えてはいない。全ての専門家が、移動電話が長期的、永続的な障害をもたらす可能性があると意見を一致させているわけではないが、ほとんどの専門家が、無線電話をユーザーの身体、特に頭部及び耳から遠ざけておくことで、移動電話の電磁波が存在するならば、その電磁波により害されるいかなるリスクの可能性も減るということには概ね意見を一致させている。
【発明の概要】
【０００４】
本発明の原理に従って、無線電話のオーディオシステムが、オーディオドライバーと、内部スピーカーとを備える。一体型脱着可能イヤホンは、付随する無線電話のケースに物理的に取り付けられる。一体型脱着可能イヤホンが、付随する無線電話のケースから物理的に取り外されているとき、近接センサーがオーディオドライバーからの音声出力を一体型脱着可能イヤホンに転換する。
【０００５】
本発明の特徴及び利点は、当業者には、図面を参照して、以下の記載から明らかになるだろう。
【図面の簡単な説明】
【０００６】
【図１Ａ】本発明の原理に従った、移動電話とともに使用する、一体型で脱着可能な伸長／格納式ハードワイヤー（hardened）イヤホン、マイクロホン、及び接続コード（以下では「格納式装置」と総称する）を備える、第１の例示的な様式の無線電話を示す図である。
【図１Ｂ】本発明の原理に従った、異なる様式の移動電話とともに使用する、一体型で脱着可能な伸長／格納式ハードワイヤーイヤホン、マイクロホン、及び接続コードを備える、別の様式の無線電話を示す図である。
【図１Ｃ】本発明の原理に従った、更に別の様式の移動電話とともに使用する、一体型で脱着可能な伸長／格納式ハードワイヤーイヤホン、マイクロホン、及び接続コードを備える、更に別の様式の無線電話を示す図である。
【図２】本発明の原理に従った、１対の一体型脱着可能格納式イヤホンを備える無線電話の一実施形態を示す図である。
【図３】本発明の原理に従った、インラインマイクロホンを備える一体型脱着可能格納式イヤホンを備える無線電話の別の実施形態を示す図である。
【図４】本発明の原理に従った、有線接続の分離可能コネクタを有する一体型脱着可能格納式イヤホンを備える無線電話の更に別の実施形態を示す図である。
【図５】本発明の別の態様の原理に従った、一体型脱着可能無線片耳（singular）イヤホンを備える無線電話の一実施形態を示す図である。
【図６】本発明の原理に従った、１対の一体型脱着可能無線両耳（dual）イヤホンを備える無線電話の一実施形態を示す図である。
【図７】本発明の原理に従った、１対の一体型脱着可能無線両耳イヤホンを備える無線電話の一実施形態を示す図であり、これらの無線イヤホンは、移動電話に取り付けられるとこれらの２つの一体型脱着可能無線イヤホンを充電することを可能にする電池充電ポートにそれぞれ嵌合する。
【図８】本発明の別の態様に従った、無線ジョウボーン（jawbone）イヤピース／マイクロホンの例示的な一実施形態を示す図である。
【図９】本発明の原理に従った、嵌合する無線電話に取り付けられると無線ジョウボーンイヤピース／マイクロホンを充電する充電ポートを有する、無線ジョウボーンイヤピース／マイクロホンの例示的な一実施形態を示す図である。
【発明を実施するための形態】
【０００７】
１つのイヤホン、１対のイヤホン、又はマイクロホンを備えるイヤホンは、しばしば、置き忘れられたり、一緒に使用することを意図する無線電話から分離したり、及び／又は単に紛失されたりすることが理解されている。本発明は、付随する無線電話に一体化されて取り付けられる一体型脱着可能イヤホンシステムを提供する。
【０００８】
或る特定の実施形態において、本発明は、伸長式及び格納式の電気コードを介して、付随する無線電話に物理的に接続するとともに、付随する無線電話のケースに一体化される、付属の一体型脱着可能聴覚装置を提供する。一体型脱着可能イヤホンを無線電話のケース自体に一体化することによって、この一体型脱着可能イヤホンは、使用しないときでも強制的に無線電話とともに保持され、置き忘れ、紛失、又は無線装置からの不慮の分離さえも防止する。
【０００９】
図１Ａは、本発明の原理に従った、移動無線電話とともに使用する、一体型で脱着可能な伸長／格納式ハードワイヤーイヤホン、マイクロホン、及び接続コード（以下では「格納式装置」と総称する）を備える、第１の例示的な様式の移動電話を示している。
【００１０】
詳細には、図１Ａに示されているように、無線電話１１０ａは、一体型脱着可能イヤホン１００ａを備える。一体型脱着可能イヤホン１００ａは、耳に装着可能なスピーカー１３２ａと、耳に装着可能なスピーカー１３２ａと無線電話１１０ａ内の出力ドライバーとの間の電気コード１２０ａとを備える。開示されている実施形態では、一体型脱着可能イヤホン１００ａが、自身の取付け定位置において無線電話１１０ａに取り付けられるとき、耳に装着可能なスピーカー１３２ａを嵌合穴１３０ａに押し込み、一体型脱着可能イヤホン１００ａを無線電話１１０ａのケースに物理的に位置決め及び取付けすることを助けることができる。
【００１１】
任意の好適なプラスチック製又は金属製の解除可能ラッチを実装してもよく、一体型脱着可能イヤホン１００ａが自身の取付け定位置に押し込まれると、このラッチが留まる。解除可能ラッチは、好適な分離圧力がかかるとやみくもに解除され、一体型脱着可能イヤホン１００ａを無線電話１１０ａから分離又は取外しすることができる。代替的に、解除可能ラッチは、無線電話１１０ａのケースにある連動するボタンが押されるか又は別様に作動されると解除することができる。代替的に、解除ラッチは、電気ソレノイド、磁石等によって作動されるソフトウェアとしてもよい。一体型脱着可能イヤホン１００ａは、無線電話１１０ａのケース内及び／又はイヤホン１００ａ内に装着される好適な希土類磁石とラッチすることができる。
【００１２】
図１Ａに示されている一体型脱着可能イヤホン装置の実施形態では、一体型脱着可能イヤホン１００ａは無線電話１１０ａのケースに物理的に接続又は取付けされ、一体型脱着可能イヤホン１００ａを無線電話１１０ａ内のそれぞれの音声出力ドライバーに接続する格納式電気音声コードを備える。
【００１３】
格納式の一体型脱着可能オーディオシステムは、単一のイヤホン（例えば、ラジオ等を聴くのに適している）、又は、より高位のオーディオ用途（例えば、音楽エンターテイメント、動画等）に適している１対のイヤホン（例えば、左側イヤホン及び右側イヤホン）を備えることができる。
【００１４】
無線電話１１０ａはホームセンサースイッチを備え、このホームセンサースイッチは、一体型脱着可能イヤホン１１０ａが、無線電話１１０ａに取り付けられる取付け定位置にあるとき、内部スピーカー（複数の場合もある）を作動させ（かつ、イヤホン１００ａ内のスピーカーの作動を停止し）、一体型脱着可能イヤホン１００ａが自身の取付け定位置から引き離されているか又は取り外されているとき、内部スピーカー（複数の場合もある）の作動を停止する（かつ、イヤホン１００ａの音響を作動させる）ことが好ましい。ホームセンサースイッチは、物理スイッチ又は誘導センサースイッチとしてもよい。
【００１５】
開示されている実施形態では、各一体型脱着可能イヤホン１００ａが、自身の付随する無線電話１１０ａのケースに一体化されることが好ましい。例えば、イヤホン１００ａは、無線電話１１０ａの全体形状に一体化される。例えば、一体型脱着可能イヤホン１００ａは、無線電話１１０ａのケースの角部、側部、又は頂縁の一部を埋めるような形状にしてもよい。
【００１６】
一体型脱着可能イヤホンにより、付随する無線装置１１０ａに対して、オーディオ体験における利便性、有用性、及び適合性が保証される。また、一体型脱着可能イヤホンは、一体型脱着可能イヤホン１００ａと、イヤホン１００ａの付随する無線装置１１０ａとの間に伸長／格納式音声コード１２０ａを備えることによって、無線電話１１０ａと、耳に装着可能な聴覚コンポーネント１００ａとの間にハードワイヤーインターフェースを提供する。
【００１７】
図１Ｂは、本発明の原理に従った、異なる様式の移動電話とともに使用する一体型で脱着可能な伸長／格納式ハードワイヤーイヤホンと、（おそらくはマイクロホンと、）接続コードとを備える別の様式の移動電話を示している。
【００１８】
詳細には、図１ＡはＢｌａｃｋｂｅｒｒｙ（商標）様式の無線電話１１０ａを示したが、本発明の原理は、全ての様式の無線電話に関する。これは、例えば、図１Ｂに示されているようなｉＰｈｏｎｅ（商標）である。
【００１９】
図１Ｂに示されているように、イヤスピーカー１３２ｂを備える一体型脱着可能イヤホン１００ｂが、伸長／格納式音声電気コード１２０ｂを介して無線電話１１０ｂの音声出力ドライバーに有線接続されている。
【００２０】
図１Ｃは、本発明の原理に従った、更に別の様式の移動電話とともに使用する、一体型で脱着可能な伸長／格納式ハードワイヤーイヤホンと、（おそらくはマイクロホンと、）接続コードとを備える更に別の様式の移動電話を示している。
【００２１】
詳細には、図１Ｃに示されているように、無線電話１１０ｃが、イヤスピーカー１３２ｃを備える一体型脱着可能イヤホン１００ｃを備える。図示されているように、一体型脱着可能イヤホン１００ｃは、電気音声コード１２０ｃを介して無線電話１１０ｃの音声出力ドライバーに有線接続されている。
【００２２】
図２は、本発明の原理に従った、１対の一体型脱着可能格納式イヤホンを備える移動電話の一実施形態を示している。
【００２３】
詳細には、図２に示されているように、例えば、Ｂｌａｃｋｂｅｒｒｙ（商標）又は任意の他の様式の無線電話である無線電話２１０ａは、１対の一体型脱着可能イヤホン２００Ｌ、２００Ｒを備え、各イヤホン２００Ｌ、２００Ｒは、それぞれ伸長式で格納式のコード２２０、２２１を有し、伸長式で格納式のコード２２０、２２１は無線電話２１０ａ内のそれぞれの格納機構に巻き取られる。各一体型脱着可能イヤホン２００Ｌ、２００Ｒは、無線電話２１０ａのケースの穴内に専用のそれぞれのコード格納機構を有してもよい。代替的に、単一のコード格納機構を、それぞれ一体型脱着可能イヤホン２００Ｌ、２００Ｒの２つの取付け定位置２６１、２６２間で無線電話２１０ａのケースの穴内に搭載してもよく、一体型脱着可能イヤホン２００Ｌ、２００Ｒの伸長及び格納が同期されるようになっている。
【００２４】
付随する無線装置２１０ａのケースからいずれかの一体型脱着可能イヤホン２００Ｌ、２００Ｒが分離すると、無線電話の付随する内部スピーカー（又は複数のスピーカー）２７８Ｌ、２７８Ｒと一体型脱着可能イヤホン２００Ｌ、２００Ｒとの間で音声が切り替えられることが理想的である。例えば、左側の一体型脱着可能イヤホン２００Ｌが無線電話２１０ａのケースから分離するとき、以前は左側内部スピーカー２７８Ｌに送られていた音声は、取り外された左側の一体型脱着可能イヤホン２００Ｌに送り先を変えることができる。別の実施形態において、１つの一体型脱着可能イヤホン２００Ｌ又は２００Ｒが引き離されると、１つ（１つのみの場合）又は双方の内部スピーカー２７８Ｌ、２７８Ｒへの全ての音声（例えば、左側音声及び右側音声）が、取り外された一体型脱着可能イヤホン２００Ｌ、２００Ｒに送り先を変えられる。
【００２５】
図３は、本発明の原理に従った、インラインマイクロホンを備える一体型脱着可能格納式イヤホンを備える移動電話の別の実施形態を示している。
【００２６】
詳細には、図３に示されているように、一体型脱着可能格納式オーディオ装置１００ａは、格納式コード３２０ａの適切な位置に（又は一体型脱着可能格納式オーディオ装置１００ａの頂部に）インラインマイクロホン３００を備えてもよく、それにより、一体型脱着可能格納式イヤホン１００ａを通して会話を行うことができる。このような実施形態では、格納時にインラインマイクロホン３００を引き込む格納機構内に物理的な収容が行われる。
【００２７】
図４は、本発明の原理に従った、有線接続の分離可能交換コネクタを有する一体型脱着可能格納式イヤホンを備える移動電話の更に別の実施形態を示している。
【００２８】
詳細には、図４に示されているように、一体型脱着可能イヤホン１００ａを備える無線電話１１０ａは、交換接続ジャック又は伸長ジャック４００を有してもよく、一体型脱着可能イヤホン１００ａを交換、アップグレード等することができるように、格納コード４２０ａを分離することが可能になる。
【００２９】
ハードワイヤーによる（hardwired）一体型脱着可能イヤホンは、無線ヘッドセット（例えば、ＢＬＵＥＴＯＯＴＨ（商標）イヤホン及びマイクロホン）よりも高音質を提供することが理解されている。しかし、無線オーディオが許容可能な場合、図５は、本発明の別の態様の原理に従った、一体型で脱着可能な片耳無線イヤホンを備える無線電話の一実施形態を示している。
【００３０】
詳細には、図５の実施形態は、一体型脱着可能イヤホン５００ａと付随する無線電話５１０ａとの間の無線接続を示している。
【００３１】
開示されている実施形態において、無線の一体型脱着可能イヤホン５００ａは充電可能内部電池を備える。この充電可能内部電池は、或る特定の低コスト用途において、充電可能でない電池を代わりに用いて、ユーザーが時折交換してもよい。
【００３２】
無線の一体型脱着可能イヤホン５００ａの充電可能電池は、一体型脱着可能イヤホン５００ａが、無線電話５１０ａにある自身の取付け定位置に挿し込まれているとき、無線電話５１０ａからの電力によって充電されることが好ましい。無線電話５１０ａ内の電池電力を節約するために、無線電話５１０ａ自体が充電されるか又は無線電話５１０ａの外部の外部電源から別様に電力供給されるときのみ、一体型脱着可能イヤホン５００ａを充電する充電回路を作動させて、一体型脱着可能イヤホン５００ａの充電可能内部電池を充電することが好ましい。
【００３３】
無線電話５１０ａと、付随する一体型脱着可能イヤホン５００ａとの間の適合性は、一体型脱着可能イヤホン５００ａが無線電話５１０ａ自体に一体化され、脱着可能に取り付けられていることから保証される。従来の「ペアリング」は、一体型脱着可能イヤホン５００ａとのＢｌｕｅｔｏｏｔｈ（商標）接続を確立すると無線電話５１０ａによりペアリング情報を推定することができるため、回避又は簡略化することができる。しかし、それにもかかわらず一体型脱着可能無線イヤホン５００ａを完全に作動することができる前に「ペアリング」が必要ならば、完全な従来のＢｌｕｅｔｏｏｔｈ（商標）ペアリングを達成して、一体型脱着可能イヤホン５００ａがすぐに利用可能であることを保証することができる。
【００３４】
図６は、本発明の原理に従った、１対の一体型脱着可能無線イヤホン６００Ｌ、６００Ｒを備える移動無線電話６１０ａの一実施形態を示している。
【００３５】
図７は、本発明の原理に従った、１対の一体型脱着可能無線イヤホン７００Ｌ、７００Ｒを備える無線電話６１０ａの一実施形態を示している。イヤホン７００Ｌ、７００Ｒのそれぞれは、それぞれの対応する電池充電ポート７６０Ｌ、７６０Ｒに嵌合し、無線電話６１０ａのケースに一体化されたそれぞれの取付け定位置に配置されるとき、一体型脱着可能無線イヤホン７００Ｌ、７００Ｒのそれぞれを充電することが可能になる。
【００３６】
図７に示されているように、一体型脱着可能無線イヤホン７００Ｌ、７００Ｒは電気コネクタ７５０Ｌ、７６０Ｒを有し、電気コネクタ７５０Ｌ、７５０Ｒがそれぞれの充電ポート７６０Ｌ、７６０Ｒと電気的に嵌合するように無線電話６１０ａに取り付けられるとき、自身のそれぞれの内部電池を充電する。
【００３７】
無線電話６１０ａ自体が充電用外部電源に接続されると、充電ポート７６０Ｌ、７６０Ｒへの充電が作動されることが理想的である。しかし、一体型脱着可能無線イヤホン７００Ｌ、７００Ｒは無線電話６１０ａの内部主電池によって充電してもよい。しかし、このような電池から電池への充電が作動される場合、このような電池から電池への充電は、無線電話６１０ａの主電池内の残りの電力が所与の閾値、例えば１０％を下回るとき、不可能になることが好ましい。このとき、一体型脱着可能無線イヤホン７００Ｌ、７００Ｒの電気コネクタ７５０Ｌ、７５０Ｒに接続される充電ポート７６０Ｌ、７６０Ｒは、電池電力を節約するようにオフにされることが好ましい。
【００３８】
充電ポート７６０Ｌ、７６０Ｒ（及び対応する電気コネクタ７５０Ｌ、７５０Ｒ）は、例えば、直列電力ジャック、マイクロＵＳＢ等を含む任意の好適なコネクタ型としてもよい。
【００３９】
図８は、本発明の別の態様に従った無線ジョウボーンイヤピース／マイクロホン８００ａの例示的な一実施形態を示している。
【００４０】
詳細には、図８に示されているように、一体型脱着可能無線「ジョウボーン」イヤホン８００ａが、付属のマイクロホン８０２とともにイヤホンスピーカー８０１ａを備える。一体型脱着可能無線ジョウボーンイヤホン８００ａは充電可能内部電池を備えるのが好ましいが、代替的に、別個の交換可能電池を備えることができる。
【００４１】
図９は、本発明の更に別の態様に従った無線ジョウボーンイヤピース／マイクロホン９００ａの例示的な一実施形態を示している。
【００４２】
詳細には、図９に示されているように、一体型脱着可能無線「ジョウボーン」イヤホン９００ａが、無線電話５１０ａにある自身の取付け定位置にあるとき、無線電話５１０ａにある充電ポート９６０と嵌合する電気コネクタを備える。
【００４３】
一体型脱着可能無線ジョウボーンイヤホン９００ａは、無線電話５１０ａにある取付け定位置にあるときに充電ポート９６０を通して充電することができる、充電可能内部電池を備えることが好ましい。代替的に、一体型脱着可能無線ジョウボーンイヤホン９００ａは、無線電話５１０ａから隔たっている対応する遠隔充電ポートで充電してもよい。代替的に、一体型脱着可能無線ジョウボーンイヤホンは充電可能電池を備え、この充電可能電池は、無線電話５１０ａに取り付けられてこうして挿し込まれるとき、無線電話５１０ａも充電しながら充電することができる。
【００４４】
特有の物理的な左／右目印（keying）を、一体型脱着可能無線イヤホン６００Ｌ及び６００Ｒ、又は７００Ｌ及び７００Ｒ、又は一体型脱着可能無線ジョウボーンイヤピース／マイクロホンの間に備え、左側と右側とを区別してもよい。特有の物理的な左／右目印は、左側イヤホンが無線電話の指定の右側対応部に取り付けられること、及びその逆を防止する。このようにして、左側音声を、移動電話のユーザーの左耳になると思われる方に一貫して提供することができ、また右側についても同様である。
【００４５】
本発明は、修理又はアップグレードのために一体型脱着可能イヤホン（又は無線ジョウボーン）の交換を可能にすることで、オーディオ装置の進歩に適応することを見越している。例えば、１つの実施形態において、一体型脱着可能イヤホンの伸長／格納式コードは、１組のねじを解放するか、又は、無線電話のケースの小さな開口を通してアクセスされるラッチを（例えば小さな紙用クリップの端部を用いて）解放することによって取り外すことができる。一体型脱着可能イヤホン（複数の場合もある）は、所与のモデルの無線電話に一体化されるため、無線電話自体の相手先商標製造会社（ＯＥＭ：original equipment manufacturer）によって製造されることが好ましい。
【００４６】
本発明は、現在の市場で提供される無線アクセサリーの、健康、利便性、及び性能に関係するいくつかの問題に対処する。一体型脱着可能イヤホンを備える移動電話を、会話又は聴取を楽しむように使用するあらゆる個人が利益を得る。
【００４７】
本発明の原理に従った一体型脱着可能イヤホンシステムを使用することによる大きな利益は、イヤホンを、取り付けられる無線電話のニーズに向けて特に設計することができるため、無線電話が電磁波の害のない安全な高音質体験を提供することができることである。一体型脱着可能イヤホンを使用することによる別の利益は、動作中の無線電話とユーザーの頭部とを大幅に離し、それにより、有害な可能性のあるいかなる電波放射もユーザーの頭部からより一層安全に遠ざけておくことである。
【００４８】
本発明を本発明の例示的な実施形態を参照して記載してきたが、当業者は、本発明の真の趣旨及び範囲から逸脱することなく、記載されている本発明の実施形態に種々の変更を行うことができる。
【図１Ａ】
2015515787.tif 000003
【図１Ｂ】
2015515787.tif 000004
【図１Ｃ】
2015515787.tif 000005
【図２】
2015515787.tif 000006
【図３】
2015515787.tif 000007
【図４】
2015515787.tif 000008
【図５】
2015515787.tif 000009
【図６】
2015515787.tif 000010
【図７】
2015515787.tif 000011
【図８】
2015515787.tif 000012
【図９】
2015515787.tif 000013
【国際調査報告】
2015515787.tif 000014